(57)【要約】【課題】ビジョン部とスパンドレル部とにシール部材が独自に備えられ、かつシール部材同士の接合部のシール性を確保できるパネルユニット及びカーテンウォールを提供する。【解決手段】本発明のパネルユニット１０は、ビジョン部１６にウインドバリア３６、レインバリア３８、及びウインドバリア４０が取り付けられ、スパンドレル部１４にレインバリア２４、及びウインドバリア２６が取り付けられる。そして、ビジョン部１６のウインドバリアの上端部と、スパンドレル部１４のウインドバリアの下端部とが気密ブロック４２、４４を介して接合される。【選択図】図２
2014190141.tif 000002
【特許請求の範囲】
【請求項１】
ビジョン部と前記ビジョン部の上下方向の少なくとも一方に設けられたスパンドレル部とを備えたパネルユニットにおいて、
前記ビジョン部は、第１のパネルと、前記第１のパネルに沿って取り付けられた第１の枠材と、及び前記第１の枠材に沿って取り付けられた第１のシール部材とを備え、
前記スパンドレル部は、第２のパネルと、前記第２のパネルに沿って取り付けられた第２の枠材と、及び前記第２の枠材に沿って取り付けられた第２のシール部材とを備え、
前記第１のシール部材と前記第２のシール部材とが連結部材を介して接合されていることを特徴とするパネルユニット。
【請求項２】
前記第１のシール部材及び前記第２のシール部材は、気密性を備えたウインドバリアである請求項１に記載のパネルユニット。
【請求項３】
前記連結部材は、気密性と弾性とを備えた部材である請求項１又は２に記載のパネルユニット。
【請求項４】
前記連結部材は、シリコーン製の単泡スポンジである請求項３に記載のパネルユニット。
【請求項５】
前記ビジョン部の前記第１の枠材に押縁機構を用いない請求項１から４のいずれか１項に記載のパネルユニット。
【請求項６】
前記第１のシール部材及び前記第２のシール部材は、定形のシール部材である請求項１から５のいずれか１項に記載のパネルユニット。
【請求項７】
請求項１から６のいずれか１項に記載のパネルユニットが、縦方向、横方向、又は縦及び横方向に連設されてなることを特徴とするカーテンウォール。
【請求項８】
横方向に隣接されたパネルユニットの各々のビジョン部の各々の第１のシール部材のうち、横方向に取り付けられた各々の第１の横シール部材の端部同士が連結部材を介して接合される請求項７に記載のカーテンウォール。
【発明の詳細な説明】
【技術分野】
【０００１】
本発明は、パネルユニット及びカーテンウォールに関する。
【背景技術】
【０００２】
カーテンウォールは、建物の壁面に複数枚のパネルユニットを横（左右）方向、及び／又は縦（上下）方向に連設することによって構成された非耐力壁である。また、カーテンウォールを構成する単体のパネルユニットは、ガラス板等のパネルの辺部に、シール材やバッカー等を介して枠体が組み付けられたモジュールである。
【０００３】
カーテンウォールには、居室空間の前面を構成して室内から外部を眺望する、いわゆる窓開口部と称されるビジョン部と、上下のビジョン部にはさまれる腰パネルであるスパンドレル部とによって構成されたものがある。また、スパンドレル部とビジョン部とを有するガラスパネルユニットが特許文献１に開示されている。特許文献１のガラスパネルユニットは、両側の縦材にスパンドレル部とビジョン部とを縦方向に連結して一体化されたものであり、スパンドレル部、ビジョン部を通して縦方向に等しい水密・気密機構をとるものである。
【０００４】
なお、カーテンウォールにおいて、縦方向、及び／又は横方向に隣接するパネルの間の室外側又は室内側に、特許文献２に開示された押縁が取り付けられる場合もある。
【先行技術文献】
【特許文献】
【０００５】
【特許文献１】特開２００５−１５５１７７号公報
【特許文献２】特開２０００−３８７９２号公報
【発明の概要】
【発明が解決しようとする課題】
【０００６】
ところで、特許文献２の押縁を使用したカーテンウォールは、押縁を取り外すことによってパネルを枠体に対して着脱（交換）するものである。スパンドレル部では、層間区画部材である耐火ボードが周縁部に設けられた枠材によって支持されており、またカーテンウォールのファスナ部といった、耐火ボードと鉄骨梁の間には、吹付ロックウールや繊維混入ケイ酸カルシウム板等の耐火被覆が設けられるのが一般的である。このため、スパンドレル部において万一のパネル交換の際は、ユニット毎ではなく、押縁を取り外すことによりパネルを交換するのが実際的である。一方、ビジョン部においては、スパンドレル部のような制約がないので、押縁をなくしてビジョン部をユニット毎交換することが可能である。ところが、特許文献１のように、ガラスパネルユニットが両側の縦材にスパンドレル部とビジョン部とを縦方向に連結して一体化されているため、ビジョン部のみをユニット毎交換することはできなかった。また、このような押縁を有する枠体においては、押縁の嵌め合い部でスペースが必要となり、枠体の見付を小さくスリムにして外観意匠性を高めることが困難であった。
【０００７】
つまり、ビジョン部においてユニット毎の交換を可能にできれば、押縁をなくして枠体をスリムに設計することが可能となり、またビジョン部の押縁をなくすことによって部品点数を削減できる。
【０００８】
ところで、上述のような交換作業性のよいパネルユニットを構成するためには、通気経路としての等圧空間を形成するレインバリア、ウインドバリア等の水密、気密シール部材をスパンドレル部とビジョン部とに独自に備えることが必要となる。また、水密、気密シール部材を単に独自に備えたとしても、シール部材同士の接合部においてシール性を確保するための工夫が必要となる。
【０００９】
本発明は、このような事情に鑑みてなされたもので、外観意匠性に優れ、またビジョン部とスパンドレル部とにシール部材が独自に備えられ、かつシール部材同士の接合部のシール性を確保できるパネルユニット及びカーテンウォールを提供することを目的とする。
【課題を解決するための手段】
【００１０】
本発明は、前記目的を達成するために、ビジョン部と前記ビジョン部の上下方向の少なくとも一方に設けられたスパンドレル部とを備えたパネルユニットにおいて、前記ビジョン部は、第１のパネルと、前記第１のパネルに沿って取り付けられた第１の枠材と、及び前記第１の枠材に沿って取り付けられた第１のシール部材とを備え、前記スパンドレル部は、第２のパネルと、前記第２のパネルに沿って取り付けられた第２の枠材と、及び前記第２の枠材に沿って取り付けられた第２のシール部材とを備え、前記第１のシール部材と前記第２のシール部材とが連結部材を介して接合されていることを特徴とするパネルユニットを提供する。
【００１１】
本発明は、前記目的を達成するために、本発明のパネルユニットが、縦方向、横方向、又は縦及び横方向に連設されてなることを特徴とするカーテンウォールを提供する。
【００１２】
本発明の一態様によれば、ビジョン部に第１のシール部材を取り付け、スパンドレル部に第２のシール部材を取り付けることによって、ビジョン部とスパンドレル部とにシール部材を独自に備えさせる。そして、第１のシール部材と第２のシール部材とを連結部材を介して接合させて、シール部材同士の接合部のシール性を確保する。具体的には、第１のシール部材のうち縦方向に取り付けられた第１の縦シール部材の上端部と、第２のシール部材のうち縦方向に取り付けられた第２の縦シール部材の下端部とを連結部材を介して接合する。
【００１３】
本発明の一態様は、前記第１のシール部材及び前記第２のシール部材は、気密性を備えたウインドバリアであることが好ましい。
【００１４】
本発明の一態様によれば、ウインドバリアによって気密性を確保し、レインバリア内外の圧力差を抑制する通気路を設けることで、レインバリア等により雨滴の侵入を防ぎ水密性を確保する。
【００１５】
本発明の一態様は、前記連結部材は、気密性と弾性とを備えた部材であることが好ましい。
【００１６】
本発明の一態様によれば、連結部材に気密性と弾性とを備えさせることによって、シール部材同士の接合部のシール性を確保でき、かつパネルユニットの構成部材の熱伸縮、風圧による変形、及び地震時の挙動に対する追従性が向上する。これにより、外的環境が変化してもシール部材同士の接合のシール性（水密性、気密性）を保持できる。
【００１７】
本発明の一態様は、前記連結部材は、シリコーン製の単泡スポンジであることが好ましい。
【００１８】
本発明の一態様によれば、シール部材同士の接合部のシール性を確保でき、かつ、前記外的環境の変化にも弾性変形して良好に追従する。
【００１９】
本発明の一態様は、前記ビジョン部の第１の枠材に押縁機構を用いないことが好ましい。
【００２０】
本発明の一態様によれば、押縁機構を用いないので、部品点数が少ないパネルユニットとなる。
【００２１】
本発明の一態様は、前記第１のシール部材及び前記第２のシール部材は、定形のシール部材であることが好ましい。
【００２２】
本発明のカーテンウォールの一態様は、横方向に隣接されたパネルユニットの各々のビジョン部の各々の第１のシール部材のうち、横方向に取り付けられた各々の第１の横シール部材の端部同士が連結部材を介して接合されることが好ましい。
【００２３】
本発明の一態様によれば、本発明のパネルユニットを連設してなるカーテンウォールにおいては、横方向に隣接されたパネルユニットの各々のビジョン部の各々の第１のシール部材のうち、横方向に取り付けられた各々の第１の横シール材の端部同士を、連結部材を介して接合する。これにより、横方向に隣接するパネルユニット同士の接合部のシール性を確保できる。
【００２４】
本発明のパネルとしては、単板ガラス、強化ガラス、合わせガラス、複層ガラス等のガラス板を例示できる。また、ガラスパネルに代えて、ポリカーボネート類やポリスチレン類等のいわゆる有機透明樹脂材からなるパネルも適用することもできる。更に、アルミニウム等の金属製パネル、セラミック製のパネル、又はプレキャストコンクリート製のパネルを適用してもよい。
【発明の効果】
【００２５】
本発明によれば、ビジョン部とスパンドレル部とにシール部材が独自に備えられ、かつシール部材同士の接合部のシール性を確保できるパネルユニット及びカーテンウォールを提供できる。また、外観意匠性に優れた、部品点数の少ないパネルユニット及びカーテンウォールを提供できる。
【図面の簡単な説明】
【００２６】
【図１】実施の形態のパネルユニットが連設されて構成されたカーテンウォールの要部拡大正面図
【図２】図１のＡ部を破断して示した拡大斜視図
【図３】図１のＡ部のシール部材と気密ブロックとの接合形態を示した拡大斜視図
【図４】図３の正面図
【発明を実施するための形態】
【００２７】
以下、添付図面に従って本発明に係るパネルユニット及びカーテンウォールの好ましい実施の形態を詳説する。
【００２８】
〔パネルユニット１０の構成〕
図１は、実施の形態のパネルユニット１０が横方向、及び縦方向に連設されて構成されたカーテンウォール１２の要部拡大正面図である。図２は、図１に示したＡ部を破断して示した拡大斜視図である。図３は、図１に示したＡ部の各シール部材と気密ブロックとの接合形態を示した拡大斜視図である。図４は、図３の正面図である。なお、図１のＡ部とは、横方向に隣接された２枚のパネルユニット１０、１０の各スパンドレル部１４、１４と各ビジョン部１６、１６との境界部である。
【００２９】
図１に示すようにパネルユニット１０は、上部に位置するスパンドレル部１４と、下部に位置するビジョン部１６とから構成される。
【００３０】
スパンドレル部１４は図１、図２に示すように、矩形状のガラス板（第２のパネル）１８、及びガラス板１８の枠材であってアルミニウム製の四方枠（第２の枠材）２０を備える。また、四方枠２０は、図１の如く右側に位置する縦材２１と左側に位置する縦材２２とを備える。縦材２１は、側面が凸形の本体部２１Ａと押縁２１Ｂとを備える。
【００３１】
縦材２２の室外側には、エチレンプロピレンゴム（ＥＰＤＭ）、又はクロロプレンゴム（ＣＲ）、又はシリコーンゴム（ＳＩ）等で成形された定形材であるレインバリア２４が、縦材２２の長手方向に沿って配設される。また、縦材２２の室内側には、同様に定形材であるウインドバリア（第２のシール部材）２６が、縦材２２の長手方向に沿って配設される。レインバリア２４とウインドバリア２６との間に形成される縦方向の隙間に縦材２１の本体部２１Ａが嵌合され、これによって、横方向に隣接する２枚のパネルユニット１０、１０のスパンドレル部１４、１４が所定の間隙を介して連結される。
【００３２】
なお、縦材２１の本体部２１Ａ、縦材２２において、レインバリア２４とウインドバリア２６とで囲まれる空間２８が等圧ジョイント方式による等圧空間として形成されている。
【００３３】
一方、ビジョン部１６は、建屋の窓となる矩形状のガラス板（第１のパネル）３０、及びガラス板３０の枠材であってアルミニウム等の金属製の四方枠（第１の枠材）３２を備える。また、四方枠３２の各縦材３３の室内側には、縦材３３の長手方向に沿って連結材３４が配置されており、横方向に隣接する２枚のパネルユニット１０、１０のビジョン部１６、１６が連結材３４によって前記所定の間隙を介して連結される。なお、ガラス板３０は、周知の複層ガラスで構成されている。
【００３４】
各縦材３３の室内側には、ウインドバリア（第１のシール部材）３６が縦材３３の長手方向に沿って配設される。また、四方枠３２の上横材３５の室外側には、レインバリア３８が上横材３５の長手方向に沿って配置され、上横材３５の室内側には、ウインドバリア（第１のシール部材の第１の横シール部材）４０が上横材３５の長手方向に沿って配設される。レインバリア３８とウインドバリア４０との間に形成される横方向の隙間に、スパンドレル部１４の四方枠２０の下横材２３が嵌合され、これによって、スパンドレル部１４とビジョン部１６とが互いに縦方向に連結される。
【００３５】
ところで、ビジョン部１６の上横材３５の上部隅部には、気密ブロック（連結部材）４２、４４が固定されている。気密ブロック４２は、図２の右側に位置するビジョン部１６の上横材３５の左上隅部に固定される。また、気密ブロック４４は、図２の左側に位置するビジョン部１６の上横材３５の右上隅部に固定されている。すなわち、１本の上横材３５において、その左上隅部に気密ブロック４２が固定され、その右上隅部に気密ブロック４４が固定される。
【００３６】
気密ブロック４２、４４は側面視でＬ字形状に形成されている。図３、図４に示すように、スパンドレル部１４のウインドバリア２６の下端部２６Ａが気密ブロック４２の上面４２Ａに弾性をもって押圧当接される。また、隣接する２枚のパネルユニット１０、１０のビジョン部１６、１６の各ウインドバリア３６、３６の上端部３６Ａ、３６Ａが気密ブロック４２、４４の下面４２Ｂ、４４Ｂに弾性をもって押圧当接されている。また、右側のパネルユニット１０に取り付けられたウインドバリア４０の左端部４０Ａが気密ブロック４２の右側面４２Ｃに弾性をもって押圧当接され、左側のパネルユニット１０に取り付けられたウインドバリア４０の右端部４０Ｂが気密ブロック４４の左側面４４Ｃに弾性をもって押圧当接されている。
【００３７】
〔パネルユニット１０の特徴〕
ビジョン部１６に第１のシール部材であるウインドバリア３６、レインバリア３８、及びウインドバリア４０が取り付けられ、スパンドレル部１４に第２のシール部材であるレインバリア２４、及びウインドバリア２６が取り付けられている。すなわち、実施の形態のパネルユニット１０は、ビジョン部１６とスパンドレル部１４とにシール部材が独自に備えられている。
【００３８】
そして、ビジョン部１６のウインドバリア３６の上端部３６Ａと、スパンドレル部１４のウインドバリア２６の下端部２６Ａとが気密ブロック４２、４４を介して接合されている。これによって、ビジョン部１６とスパンドレル部１４の各シール部材同士の接合部のシール性が確保されている。
【００３９】
したがって、実施の形態のパネルユニット１０によれば、ビジョン部１６とスパンドレル部１４とにシール部材が独自に備えられ、かつシール部材同士の接合部のシール性（水密性、気密性）が気密ブロック４２、４４によって確保されている。
【００４０】
また、気密ブロック４２、４４としては、気密性と弾性とを備えた部材であることが好ましく、例えば、シリコーン製の単泡スポンジを適用できる。
【００４１】
気密ブロック４２、４４に気密性と弾性とを備えさせることによって、シール部材同士の接合部のシール性を確保でき、かつパネルユニット１０の構成部材である四方枠２０、３２、連結材３４の熱伸縮、風による変形、及び地震時の挙動に対する追従性が向上する。これにより、外的環境が変化してもシール部材同士の接合の水密性、気密性を保持できる。
【００４２】
また、前述の如く気密ブロック４２、４４として、シリコーン製の単泡スポンジを適用することによって、シール部材同士の接合部の水密性、気密性を確保でき、かつ、前記外的環境の変化にも弾性変形して良好に追従する。
【００４３】
なお、シリコーン製の単泡スポンジに代えて、シリコーン製の連泡スポンジや、エチレンプロピレンゴム製の単泡スポンジ等も適用できる。また、金属製、プラスチック製等の剛性体でも気密ブロック４２、４４として適用できる。前記単泡スポンジとは、気泡が一つ一つ独立した状態のスポンジであって、反発弾性が優れていて気密性、水密性を有する部材である。
【００４４】
また、ビジョン部１６の四方枠３２には押縁機構が設けられていない。よって、部品点数が少ないパネルユニット１０を提供できる。
【００４５】
また、図２に示すカーテンウォール１２によれば、横方向に隣接されたパネルユニット１０、１０の各々のビジョン部１６、１６の各々のウインドバリア４０の端部４０Ａ、４０Ｂ同士が気密ブロック４２、４４を介して接合されている。これにより、横方向に隣接するパネルユニット１０、１０同士の接合部のシール性が確保されている。
【００４６】
なお、スパンドレル部の四方枠２０の全てが本体と押縁に分離されている必要がなく、少なくとも、縦材の一方と横材の一方が押縁式の構成であれば、ガラスパネルを取り外せる構造にできる。ここで、本明細書では、縦材２１（右縦枠）に押縁式を採用しているが、それに限定されず、下横材２３についても押縁式を採用してよいことは言うまでもない。
【符号の説明】
【００４７】
１０…パネルユニット、１２…カーテンウォール、１４…スパンドレル部、１６…ビジョン部、１８…ガラス板、２０…四方枠、２１…縦材、２１Ａ…本体部、２１Ｂ…押縁、２２…縦材、２３…下横材、２４…レインバリア、２６…ウインドバリア、２８…空間、３０…ガラス板、３２…四方枠、３３…縦材、３４…連結材、３５…上横材、３６…ウインドバリア、３８…レインバリア、４０…ウインドバリア、４２、４４…気密ブロック
【図１】
2014190141.tif 000003
【図２】
2014190141.tif 000004
【図３】
2014190141.tif 000005
【図４】
2014190141.tif 000006